(57)【要約】【課題】  迷光の影響を抑えることが可能で、かつ製造が容易な光学読取用レンズアレイ１を提供すること。【解決手段】  上下面に複数のレンズ素子１１、１２を一列に配列したブロック状のレンズアレイ本体１０と、レンズアレイ本体１０の上下方向の中間部１７に一体的に設けられた隔壁部２０とからなり、隔壁部２０は光吸収性の樹脂材料で形成される光学読取用レンズアレイ１であって、レンズアレイ本体１０は中間部１７にレンズ素子１１、１２の配列に適合する円柱状の光学開口１３を複数備え、各光学開口１３、１３は周面を隔壁部２０に覆われると共に、周面からレンズ素子１１、１２の配列方向と略直交する方向に長手方向略全長に渡って突出するリブ１４をそれぞれ有してなる。【選択図】  図３
2006030722.tif 000002
【特許請求の範囲】
【請求項１】
上下面に複数のレンズ素子を一列に配列したブロック状のレンズアレイ本体と、該レンズアレイ本体の上下方向の中間部に一体的に設けられた隔壁部とからなり、該隔壁部は光吸収性の樹脂材料で形成される光学読取用レンズアレイであって、
上記レンズアレイ本体は上記中間部に上記レンズ素子の配列に適合する円柱状の光学開口を複数備え、該各光学開口は周面を上記隔壁部に覆われると共に、上記周面から上記レンズ素子の配列方向と略直交する方向に長手方向略全長に渡って突出するリブをそれぞれ有してなることを特徴とする光学読取用レンズアレイ。
【請求項２】
上記リブは上記各光学開口の周面から上記レンズ素子の配列方向と略直交する二方向に有することを特徴とする請求項１記載の光学読取用レンズアレイ。
【請求項３】
上記各光学開口の周面を覆う上記隔壁部の表面は各光学開口に入射した光が鏡面反射しないように光散乱面とすることを特徴とする請求項１又は２記載の光学読取用レンズアレイ。
【請求項４】
上記レンズアレイ本体の上面は複数の溝部を有し、該溝部は上面に入射する光の光路を上記レンズ素子の光学軸から遠ざける方向に屈折させる斜面を有することを特徴とする請求項１〜３のいずれか１項に記載の光学読取用レンズアレイ。
【請求項５】
上記各溝部の斜面は内向傾斜状に形成されることを特徴とする請求項４記載の光学読取用レンズアレイ。
【請求項６】
上下面に複数のレンズ素子を一列に配列したブロック状のレンズアレイ本体と、該レンズアレイ本体の上下方向の中間部に設けられ光吸収性の樹脂材料からなる隔壁部とを金型により一体的に形成する光学読取用レンズアレイの製造方法であって、
上記金型に上記レンズ素子が配列されたレンズアレイ本体の上下面を形成するレンズ素子面成形部を形成する工程と、
上記金型の上下方向の中間部に上記各レンズ素子の配列に適合する円柱状の光学開口を形成する光学開口成形部を複数形成し、該各光学開口成形部に対し上記光学開口の周面から上記レンズ素子の配列方向と略直交する方向に長手方向略全長に渡って突出するリブを形成するリブ成形部をさらに形成する工程と、
上記レンズ素子面成形部と光学開口成形部が形成された金型に透光性の樹脂材料を充填し硬化させて上記レンズアレイ本体を形成する工程と、
上記レンズアレイ本体の上下方向の中間部で上記光学開口成形部及びリブ成形部に対応して形成される空間部に光吸収性の樹脂材料を充填して上記隔壁部を上記レンズアレイ本体と一体的に形成する工程とを有することを特徴とする光学読取用レンズアレイの製造方法。
【請求項７】
上記金型の上下方向の中間部に上記光学開口成形部及びリブ成形部を有する光学開口金型部材を上記金型の互いに対向する内壁面にそれぞれ形成し、上記光学開口金型部材を上記内壁面から互いに接合する位置まで突出自在として光学開口成形部及びリブ成形部を形成することを特徴とする請求項６記載の光学読取用レンズアレイの製造方法。
【請求項８】
上記レンズ素子面成形部と光学開口成形部が形成された金型の互いに対向する内壁面に形成された上記光学開口金型部材を互いに接合する位置から離した位置に配置して透光性の樹脂材料を充填し、上記透光性の樹脂材料の硬化前に上記光学開口金型部材を互いに接合する位置まで突出させて上記レンズアレイ本体を形成することを特徴とする請求項７記載の光学読取用レンズアレイの製造方法。
【発明の詳細な説明】
【技術分野】
【０００１】
本発明は複数のレンズ素子が一列に配列された光学読取用レンズアレイに関し、より詳細には上下面に複数のレンズ素子を一列に配列したブロック状のレンズアレイ本体の中間内部に遮光部と光学開口部を有する光学読取用レンズアレイに関する。
【背景技術】
【０００２】
現在、ファクシミリ、スキャナ、複写機等においては、読取対象の像を形成するための光学部品としてレンズアレイが使用されている。このレンズアレイはレンズ素子を一列に配列し、全体として１次元の正立等倍実像が得られるようにした光学部品である。
このレンズアレイを製造する方法としては、例えば特許文献１、特許文献２に記載されているように、まず屈折率分布型ガラスロッドからなるレンズ素子を複数本形成し、このレンズ素子を保持枠たるフレーム板上に一列に配列し、反対側からもう一枚のフレーム板でレンズ素子を挟み込み、レンズ素子の間隙に樹脂を注入して結合、一体化させる方法がある。
【特許文献１】特開平６−３４７６０８号公報
【特許文献２】特開平６−５９１０１号公報
【０００３】
ところで、このような従来の製造方法は、レンズ素子と保持枠を別々に形成し、後から一体化するので、レンズアレイの製造工程、及びレンズアレイの構成が複雑となり、製造コストの増加を招く。そこで、レンズを構成する部分とその他の部分を透明な光学樹脂で一体成形することにより、レンズアレイを製造する方法が考えられている。具体的には、ブロック状のレンズアレイ本体の上下面に、それぞれ上下に膨出する凸レンズ面を有するレンズアレイを、射出成形により一体的に形成する方法である。この方法であれば、金型を用いて射出成形により一工程でレンズアレイを形成することができるので、製造工程及びレンズアレイの構成が簡易となり、製造コストの低下を図ることができる。
【発明の開示】
【発明が解決しようとする課題】
【０００４】
しかし、このようにレンズを構成する部分とその他の部分を一体成形すると、レンズ部分とその他の部分とが同一の光学樹脂で成形されているため、不必要な光もそのまま内部を透過、あるいは反射し、レンズ部分で結像された光と共に受光部に入射する迷光の問題が生じていた。このように迷光が本来入射すべき光と共に受光部に入射すると、レンズ部分によって結像された像がぼやけてしまい、適切な像を得ることができない。
【０００５】
迷光の影響を抑えるためには、レンズアレイ本体の内部中間に適正な遮光部及び光学開口を設けることが必要であるが、この場合、光学開口は細径となるため、金型を用いた射出成形の際、光学開口へ光学樹脂が十分に充填されず、光学開口を有するレンズアレイ本体の形成は困難であった。
【０００６】
本発明は以上の問題点を鑑みてなされたものであり、迷光の影響を抑えることが可能で、製造が容易な光学読取用レンズアレイを提供することを目的とする。
【課題を解決するための手段】
【０００７】
上記課題を解決するため、本発明に係る光学読取用レンズアレイは、上下面に複数のレンズ素子を一列に配列したブロック状のレンズアレイ本体と、該レンズアレイ本体の上下方向の中間部に一体的に設けられた隔壁部とからなり、該隔壁部は光吸収性の樹脂材料で形成される光学読取用レンズアレイであって、
上記レンズアレイ本体は上記中間部に上記レンズ素子の配列に適合する円柱状の光学開口を複数備え、該各光学開口は周面を上記隔壁部に覆われると共に、上記周面から上記レンズ素子の配列方向と略直交する方向に長手方向略全長に渡って突出するリブをそれぞれ有してなることを特徴として構成されている。
【０００８】
また、上記課題を解決するため、本発明に係る光学読取用レンズアレイは、上記リブは上記各光学開口の周面から上記レンズ素子の配列方向と略直交する二方向に有することを特徴として構成されている。
【０００９】
さらに、上記課題を解決するため、本発明に係る光学読取用レンズアレイは、上記各光学開口の周面を覆う上記隔壁部の表面は各光学開口に入射した光が鏡面反射しないように光散乱面とすることを特徴として構成されている。
【００１０】
さらにまた、上記課題を解決するため、本発明に係る光学読取用レンズアレイは、上記レンズアレイ本体の上面は複数の溝部を有し、該溝部は上面に入射する光の光路を上記レンズ素子の光学軸から遠ざける方向に屈折させる斜面を有することを特徴として構成されている。
【００１１】
また、上記課題を解決するため、本発明に係る光学読取用レンズアレイは、上記各溝部の斜面は内向傾斜状に形成されることを特徴として構成されている。
【００１２】
さらに、本発明に係る光学読取用レンズアレイは、上下面に複数のレンズ素子を一列に配列したブロック状のレンズアレイ本体と、該レンズアレイ本体の上下方向の中間部に設けられ光吸収性の樹脂材料からなる隔壁部とを金型により一体的に形成する光学読取用レンズアレイの製造方法であって、
上記金型に上記レンズ素子が配列されたレンズアレイ本体の上下面を形成するレンズ素子面成形部を形成する工程と、
上記金型の上下方向の中間部に上記各レンズ素子の配列に適合する円柱状の光学開口を形成する光学開口成形部を複数形成し、該各光学開口成形部に対し上記光学開口の周面から上記レンズ素子の配列方向と略直交する方向に長手方向略全長に渡って突出するリブを形成するリブ成形部をさらに形成する工程と、
上記レンズ素子面成形部と光学開口成形部が形成された金型に透光性の樹脂材料を充填し硬化させて上記レンズアレイ本体を形成する工程と、
上記レンズアレイ本体の上下方向の中間部で上記光学開口成形部及びリブ成形部に対応して形成される空間部に光吸収性の樹脂材料を充填して上記隔壁部を上記レンズアレイ本体と一体的に形成する工程とを有することを特徴として構成されている。
【００１３】
さらにまた、本発明に係る光学読取用レンズアレイは、上記金型の上下方向の中間部に上記光学開口成形部及びリブ成形部を有する光学開口金型部材を互いに対向する内壁面にそれぞれ形成し、上記光学開口金型部材を上記内壁面から互いに接合する位置まで突出自在として光学開口成形部及びリブ成形部を形成することを特徴として構成されている。
【００１４】
また、本発明に係る光学読取用レンズアレイは、上記レンズ素子面成形部と光学開口成形部が形成された金型の互いに対向する内壁面に形成された上記光学開口金型部材を互いに接合する位置から離した位置に配置して透光性の樹脂材料を充填し、上記透光性の樹脂材料の硬化前に上記光学開口金型部材を互いに接合する位置まで突出させて上記レンズアレイ本体を形成することを特徴として構成されている。
【発明の効果】
【００１５】
本発明に係る光学読取用レンズアレイによれば、レンズアレイ本体は中間部にレンズ素子の配列に適合する円柱状の光学開口を複数備え、各光学開口は周面を隔壁部に覆われると共に、周面からレンズ素子の配列方向と略直交する方向に長手方向全長に渡って突出するリブをそれぞれ有してなるため、レンズアレイ本体の形成において、各光学開口に樹脂材料が充填しやすくなり、レンズアレイ本体が容易に形成可能となるため、レンズアレイ本体と隔壁部との一体形成による製造が容易となる。
【００１６】
また、本発明に係る光学読取用レンズアレイによれば、リブは各光学開口の周面からレンズ素子の配列方向と略直交する二方向に有するため、樹脂材料の光学開口への充填をより確実にすることができる。
【００１７】
さらに、本発明に係る光学読取用レンズアレイによれば、各光学開口の周面を覆う上記隔壁部の表面は各光学開口に入射した光が鏡面反射しないように光散乱面であるため、光学開口と隔壁部の界面に入射した光は、隔壁部により吸収することができ、迷光の影響をより低減することができる。
【００１８】
さらにまた、本発明に係る光学読取用レンズアレイによれば、レンズアレイ本体の上面は複数の溝部を有し、溝部は上面に入射する光の光路をレンズ素子の光学軸から遠ざける方向に屈折させる斜面を有するため、レンズアレイ本体の上面でレンズ素子以外の位置に入射した光は、隔壁部により吸収することができ、迷光の影響をより低減することができる。
【００１９】
また、本発明に係る光学読取用レンズアレイによれば、レンズアレイ本体の上面に有する各溝部の斜面は内向斜面形状に形成されるため、上面に入射する光の光路が上面を平面状にした場合に比べ、レンズ素子の光学軸から遠ざかるようになり、上面に入射した光は隔壁部により吸収することができ、迷光の影響をより低減することができる。
【００２０】
さらにまた、本発明に係る光学読取用レンズアレイの製造方法によれば、金型の上下方向の中間部に光学開口成形部及びリブ成形部を有する光学開口金型部材を互いに対向する内壁面にそれぞれ形成し、光学開口金型部材を内壁面から互いに接合する位置まで突出自在として光学開口成形部及びリブ成形部を形成することで、光学開口成形部及びリブ成形部の形成が容易となり、金型の製造コストを低減することができる。
【００２１】
また、本発明に係る光学読取用レンズアレイの製造方法によれば、光学開口金型部材を互いに接合する位置から離した位置に配置して透光性の樹脂材料を充填することで、各光学開口成形部間に形成される空間部からも樹脂材料が充填されるため、各光学開口成形部への充填がより確実となり、レンズアレイ本体が容易に形成可能となる。
【発明を実施するための最良の形態】
【００２２】
本発明の実施形態について、図面に沿って詳細に説明する。図１は本発明の実施形態における光学読取用レンズアレイを用いた光学読取部の斜視図、図２は本発明の実施形態における光学読取用レンズアレイの上面図、図３は図２のＡ−Ａ断面図、図４は図２のＢ−Ｂ断面図、図５は図４のＣ−Ｃ断面図である。これら各図に示すように本実施形態における光学読取用レンズアレイ１は、ファクシミリ、スキャナ、複写機等の各種光学読取機器に使用されるものであり、光学読取機器内においてラインセンサ２の上部に設けられ、上方の読取メディア３の像を下方のラインセンサ２に正立等倍実像として結像する役割を果たす。また、光学読取用レンズアレイ１は、レンズとしての機能を果たすレンズアレイ本体１０と、レンズアレイ本体１０の上下方向における中間部１７に一体的に設けられた隔壁部２０とから構成される。
【００２３】
レンズアレイ本体１０は、図２及び図３に示すように、長尺の略ブロック状に形成されるものであり、上下面にそれぞれ一定間隔で一列に配列された複数のレンズ素子１１、１２を有する。レンズ素子１１、１２は上下面でそれぞれ一対一に対応するように形成されており、一対のレンズ素子１１、１２とその間のレンズアレイ本体１０とで一つのレンズ体としての役割を果たす。これらレンズ素子１１、１２は、レンズアレイ本体１０の上面又は下面よりも上方又は下方に膨出した屈曲面に形成され、凸レンズ面とする。上面のレンズ素子１１は光入射面とされるのに対し、下面のレンズ素子１２は光出射面とされ、上面のレンズ素子１１に入射した光は対応する下面のレンズ素子１２から出射することで、ラインセンサ２に正立等倍実像として結像される。各レンズ素子１１、１２は球面又は非球面のいずれであっても良い。このようなレンズアレイ本体１０は、透光性を有する樹脂材料で、具体的にはＰＭＭＡ（ポリメチルメタクリレート）、或いはアモルファスポリオレフィン樹脂により成形される。
【００２４】
また、レンズアレイ本体１０は、図３に示すように、その上下方向における中間部１７に円柱状の光学開口１３を複数有している。光学開口１３は、レンズ素子１１、１２の配列に対応するようにレンズ素子１１、１２と同ピッチで形成され、各光学開口１３、１３はレンズ素子１１、１２の光軸に沿うように、またレンズ素子１１、１２よりも若干小径に形成される。したがって、レンズアレイ本体１０の上面に有するレンズ素子１１に入射した光は、対応する光学開口１３を通り、上面のレンズ素子１１に対応する下面のレンズ素子１２から出射することができる。
【００２５】
また、図３に示すように、各光学開口１３、１３はその周面からレンズ素子１１、１２の配列方向と略直交する方向に長手方向全長に渡って突出するリブ１４をそれぞれ有する。図４及び図５に示すように、各リブ１４、１４は、各光学開口１３、１３の周面から板状に形成されて各光学開口１３、１３と一体的に構成され、各光学開口１３、１３と同一の樹脂材料で形成される。本実施形態においては、レンズ素子１１、１２の配列方向と略直交する二方向にリブ１４を設ける。
【００２６】
各光学開口１３、１３は細径であるため、従来金型３０による形成において充分に樹脂材料を充填することが困難であった。しかし、本実施形態における光学開口１３にはそれぞれリブ１４を有するため、光学樹脂の充填を確実にすることができる。本実施形態における光学読取用レンズアレイ１の製造方法の詳細については後述する。
【００２７】
また、リブ１４は光学開口１３と一体的に構成されると共に、同一の樹脂材料で形成されるため、レンズアレイ本体１０に入射した光で光学開口１３近傍の一部の迷光を透過させてしまう。しかし、この迷光による影響は、レンズ素子間にまたがる迷光に比べると非常に小さいため、光学特性に大きな影響を与えることなくリブ１４を設けることができる。
【００２８】
レンズアレイ本体１０の中間部１７に一体的に設けられる隔壁部２０は、光吸収性を有するようにシリカフィラーを充填した黒色のＰＰＳ（ポリフェニレンサルファイド）、又はＰＢＴ（ポリブチレンテレフタレート）により形成される。そして、隔壁部２０は図５に示すように、各光学開口１３、１３の周囲を囲うように配置される。さらに、各光学開口１３、１３は隔壁部２０の肉厚方向における中間付近に形成されているため、各光学開口１３、１３は周面が全面に渡って隔壁部２０によって覆われる。ここで、各光学開口１３、１３の周面を覆う隔壁部２０の表面は、各光学開口１３、１３に入射した光が鏡面反射しないように光散乱面とする。
【００２９】
図６は本実施形態における光学読取用レンズアレイに入射する光の経路を概略的に示す光学読取用レンズアレイを用いた読取部の縦断面図である。この図に示すように、隔壁部２０が配置されているレンズアレイ本体１０の中間部１７にレンズ素子１１、１２の配列に適合する光学開口１３を複数配置することによって、レンズアレイ本体１０における上面のレンズ素子１１から下面のレンズ素子１２への光路が確保される。各光学開口１３、１３の周面は光吸収性の樹脂材料からなる隔壁部２０によって覆われているため、レンズアレイ本体１０に入射した不要な光を隔壁部２０において吸収することができ、迷光の影響を抑えることができる。
【００３０】
ただし、隔壁部２０はレンズアレイ本体１０の中間部１７だけでなく、レンズアレイ本体１０の側面全体を囲むように形成してもよい。これにより、光学読取用レンズアレイ１は外部から入射した不要な光をさらに隔壁部２０により吸収することができるため、より迷光の影響を抑えることができる。
【００３１】
図７は図４の上部の拡大断面図である。この図に示すように、レンズ素子１１、１２を一列に配置しているレンズアレイ本体１０には、上面に複数の溝部１５、１５が一定間隔で、レンズアレイ本体１０の長手方向に沿って形成されている。各溝部１５は、レンズ素子１１の光学軸に対して対称形状に形成され、またそれぞれ内向傾斜状の斜面１６を有し、隣接する各溝部１５と連続して断面鋸歯状をなしている。なお、ここでは溝部１５をレンズアレイ本体１０の長手方向に沿って形成することとしたが、これに限らず、溝部１５をレンズアレイ本体１０の長手方向に対して一定の角度を有するように形成してもよい。
【００３２】
このようにレンズアレイ本体１０の上面に、内向傾斜状の斜面１６を有する溝部１５を形成することにより、レンズアレイ本体１０の上面に入射する光がレンズ素子１１、１２の光学軸から遠ざかる方向に屈折するようになる。つまり、外部からレンズアレイ本体１０の上面に入射する光の方向がレンズ素子１１、１２の光学軸に近づく方向である場合（図７中、Ｌ１）、上面の内向傾斜状の斜面１６に入射することで、光の入射角は上面を平面状に形成した場合に比べ大きくなり、上面における光の屈折角は大きくなる。つまり、上面を平面状とした場合に比べて、光の光路はレンズ素子１１、１２の光学軸から離れる方向に屈折するようになる。
【００３３】
また、外部からレンズアレイ本体１０の上面に入射する光の方向がレンズ素子１１、１２の光学軸から遠ざかる方向である場合（図７中、Ｌ２）、光の入射角は上面を平面状に形成した場合に比べ小さくなり、上面における光の屈折角は小さくなる。つまりこの場合も、上面を平面状とした場合に比べて、光の光路はレンズ素子１１、１２の光学軸から離れる方向に屈折するようになる。
【００３４】
このため、レンズアレイ本体１０の上面でレンズ素子１１、１２以外の位置から入射した光は、レンズ素子１１、１２の光学軸から離れる方向に屈折し、光学開口１３を透過することなく、隔壁部２０によって吸収され、迷光の影響をさらに抑えることができる。
【００３５】
本実施形態における光学読取用レンズアレイ１の製造方法について説明する。本実施形態における光学読取用レンズアレイ１はレンズアレイ本体１０と、レンズアレイ本体１０の上下方向の中間部に設けられる隔壁部２０とを金型３０によって一体的に形成される。
【００３６】
レンズアレイ本体１０は図８に示すように、その外形に対応するように形成された上下の金型３０を対向配置し、その空間部に溶融した材料を注入し、冷却固化する射出成形法によって形成される。ここで、金型３０は、その空間部に材料を注入した際の加圧力で変形しない剛性が必要であるため、一般的に鋼材が使用される。また、冷却効率を上げるため銅合金やアルミ合金が使用される場合もある。
【００３７】
まず、金型３０にレンズ素子１１、１２が配列されたレンズアレイ本体１０の上下面を形成するレンズ素子面成形部３１を形成する。次に、金型３０の上下方向の中間部３５に各レンズ素子１１、１２の配列に適合する円柱状の光学開口１３を形成する光学開口成形部３３を複数形成する。そして、各光学開口成形部３３、３３に対し光学開口１３の周面からレンズ素子１１、１２の配列方向と略直交する方向に長手方向略全長に渡って突出するリブ１４を形成するリブ成形部３４をさらに形成することによってレンズアレイ本体１０を形成する金型３０は形成される。
【００３８】
ここで、図９は本実施形態における光学読取用レンズアレイ１を形成する金型３０の長手方向と直交する方向の縦断面図である本実施形態においては、図９ａ、ｂに示すように、金型３０の上下方向の中間部３５に光学開口成形部３３及びリブ成形部３４を有する光学開口金型部材３２を金型３０の互いに対向する内壁面３６にそれぞれ形成し、光学開口金型部材３２を金型３０の内壁面３６から互いに接合する位置まで突出自在として光学開口成形部３３及びリブ成形部３４を形成する。
【００３９】
光学開口金型部材３２は、図１０に示すようにそれぞれ櫛歯形状に形成されて、金型３０の上下方向の中間部３５に配置されると共に、金型３０の内壁面３６から互いに接合する位置まで突出自在とされる。光学開口成形部３３及びリブ成形部３４を有する光学開口金型部材３２は金型３０と一体的に構成されてなるが、金型３０とは別々に製作することができるため、光学開口成形部３３及びリブ成形部３４の形成が容易となり、金型３０全体の製作コストを低減することができる。
【００４０】
レンズ素子面成形部３１が形成された金型３０に光学開口成形部３３が形成された光学開口金型部材３２を金型３０の上下方向の中間部３５に配置し、互いに接合する位置まで突出させて透光性の樹脂材料を充填し、硬化させることによってレンズアレイ本体１０を形成することができる。透光性の樹脂材料の充填は金型３０の構成上、レンズアレイ本体１０の長手方向の一端から注入する。光学開口１３は細径で、かつ樹脂材料の流れ方向と直交するため、従来光学開口成形部３３へ樹脂材料が十分に充填されず、レンズアレイ本体１０の形成は困難であった。しかし、本実施形態における光学開口成形部３３にはリブ成形部３４を有するため、光学開口成形部３３へリブ成形部３４からも樹脂材料が充填されるため、樹脂材料の充填を確実にすることができる。これにより、レンズアレイ本体１０が容易に形成可能となる。
【００４１】
また、光学開口金型部材３２を互いに接合する位置から離した位置に配置して樹脂材料を充填し、樹脂材料の硬化直前に光学開口金型部材３２を互いに接合する位置まで突出させることによって光学開口成形部３３への樹脂材料の充填をさらに確実にすることができる。光学開口金型部材３２を互いに接合する位置から離した位置に配置するため、各光学開口成形部３３間に形成される空間部からも光学開口成形部３３に樹脂材料を充填することができる。また、樹脂材料の硬化直前に光学開口金型部材３２を互いに接合する位置まで突出させることで樹脂材料は光学開口成形部３２内に押込まれ、光学開口成形部３３への樹脂材料の充填をさらに確実にすることができる。
【００４２】
充填した樹脂材料の硬化後、金型３０を離型することによってレンズアレイ本体１０を形成することができる。レンズアレイ本体１０の形成後、レンズアレイ本体１０の上下方向の中間部１７で光学開口金型部材３２に有する光学開口成形部３３及びリブ成形部３４に対応して形成される空間部に光吸収性の樹脂材料を充填し硬化させることによって、レンズアレイ本体１０の空間部に隔壁部２０が密着一体化して形成される。
【００４３】
ここで、光学開口金型部材３２の離型の際、各光学開口１３、１３は細径であるため、成形体の破損や変形等の問題を有していた。しかし、形成された各光学開口１３、１３はそれぞれリブ１４を有することによって補強され、破損や変形を防止することができる。
【００４４】
以上、本発明の実施形態について説明したが、本発明の適用はこの実施形態には限られず、その技術的思想の範囲内において様々に適用されうるものである。例えば、光学開口１３に備えるリブ１４の形状は、光学開口１３への樹脂材料の十分な充填を確保できる形状であれば、本実施形態に限られず、どのような形状であってもよい。
【図面の簡単な説明】
【００４５】
【図１】本実施形態における光学読取用レンズアレイの光学読取部の斜視図である。
【図２】本実施形態における光学読取用レンズアレイの上面図である。
【図３】図２のＡ−Ａ断面図である。
【図４】図２のＢ−Ｂ断面図である。
【図５】図４のＣ−Ｃ断面図である。
【図６】本実施形態における光学読取用レンズアレイに入射する光の経路を概略的に示す光学読取用レンズアレイを用いた読取部の縦断面図である。
【図７】図４の上部の拡大図で上面に入射する光の光路を示す断面図である。
【図８】本実施形態における光学読取用レンズアレイを形成する金型の長手方向の縦断面図である。
【図９】本実施形態における光学読取用レンズアレイを形成する金型の長手方向と直交する方向の縦断面図で、光学開口金型部材との構成を示す（ａ、ｂ）図である。
【図１０】光学開口金型部材の上面図である。
【符号の説明】
【００４６】
１      光学読取用レンズアレイ
２      ラインセンサ
３      読取メディア
１０      レンズアレイ本体
１１、１２  レンズ素子
１３      光学開口
１４      リブ
１５      溝部
１６      斜面
１７      中間部
２０      隔壁部
３０      金型
３１      レンズ素子面成形部
３２      光学開口金型部材
３３      光学開口成形部
３４      リブ成形部
３５      中間部
３６      内壁面
【図１】
2006030722.tif 000003
【図２】
2006030722.tif 000004
【図３】
2006030722.tif 000005
【図４】
2006030722.tif 000006
【図５】
2006030722.tif 000007
【図６】
2006030722.tif 000008
【図７】
2006030722.tif 000009
【図８】
2006030722.tif 000010
【図９】
2006030722.tif 000011
【図１０】
2006030722.tif 000012